(57)【特許請求の範囲】
【請求項１】
アンテナに結合された無線周波数システムと、
媒体アクセスコントローラと
を備え、
前記媒体アクセスコントローラは、
第１クライアントモジュールおよび第２クライアントモジュールを含む複数のクライアントモジュールと、
制御モジュールと、
を有し、
前記複数のクライアントモジュールのそれぞれは、（ｉ）前記無線周波数システムおよび（ｉｉ）前記アンテナを通じてネットワークと無線通信し、前記複数のクライアントモジュールのそれぞれは、アクティブ状態またはスリープ状態にすることが可能であり、
前記制御モジュールは、（ｉ）前記第１クライアントモジュールについて第１優先度を定め、（ｉｉ）前記第２クライアントモジュールについて第２優先度を定め、（ｉｉｉ）前記第１優先度および前記第２優先度に基づいて、前記第１クライアントモジュールを前記アクティブ状態にして前記第１クライアントモジュールと前記無線周波数システムとの間で通信を可能にするとともに、前記第２クライアントモジュールを前記スリープ状態にして前記第２クライアントモジュールと前記無線周波数システムとの間の通信を不可能にし、
前記第２クライアントモジュールは、（ｉ）前記第１クライアントモジュールが移動通信応用部（ＭＡＰ）を受信することになっている期間に、前記アンテナおよび前記無線周波数システムを予約する予約信号を前記制御モジュールに伝送し、（ｉｉ）前記期間における伝送をスキップし、
前記移動通信応用部は、前記第１クライアントモジュールに割り当てられた送信時刻および受信時刻を定める
ネットワークインタフェース。
【請求項２】
前記媒体アクセスコントローラは、モバイル・モジュールを有し、
前記モバイル・モジュールは、（ｉ）複数のアクセスポイントおよび複数の基地局の可用性情報および信号強度を受信し、（ｉｉ）前記可用性情報および前記信号強度に基づいて、前記第１クライアントモジュールおよび前記第２クライアントモジュールを、前記複数のアクセスポイントのうちの選択された１つおよび前記複数の基地局のうちの選択された１つに接続する
請求項１に記載のネットワークインタフェース。
【請求項３】
前記複数のクライアントモジュールは、アイドル状態、スキャン状態、ネットワークエントリ状態、および、登録済み状態をさらに含む複数の状態のうちの１つの状態にすることが可能であり、
前記制御モジュールは、前記複数のクライアントモジュールのそれぞれの状態を、前記複数の状態のうちのそれぞれの状態へ遷移させる
請求項１または２に記載のネットワークインタフェース。
【請求項４】
前記第１クライアントモジュールは、無線ローカルエリアネットワーク（ＷＬＡＮ）プロトコルおよびＢｌｕｅｔｏｏｔｈプロトコルのうちの１つのプロトコルで前記ネットワークと通信し、
前記第２クライアントモジュールは、ワイマックス（ＷｉＭＡＸ）プロトコルで前記ネットワークと通信する
請求項１から３のいずれか一項に記載のネットワークインタフェース。
【請求項５】
前記第１クライアントモジュールは、ワイマックス（ＷｉＭＡＸ）プロトコルで前記ネットワークと通信し、
前記第２クライアントモジュールは、無線ローカルエリアネットワーク（ＷＬＡＮ）プロトコルおよびＢｌｕｅｔｏｏｔｈプロトコルのうちの１つのプロトコルで前記ネットワークと通信する
請求項１から３のいずれか一項に記載のネットワークインタフェース。
【請求項６】
アンテナに結合された無線周波数システムと、
媒体アクセスコントローラと
を備え、
前記媒体アクセスコントローラは、
第１クライアントモジュールおよび第２クライアントモジュールを含む複数のクライアントモジュールと、
制御モジュールと、
を有し、
前記複数のクライアントモジュールのそれぞれは、（ｉ）前記無線周波数システムおよび（ｉｉ）前記アンテナを通じてネットワークと無線通信し、前記複数のクライアントモジュールのそれぞれは、アクティブ状態またはスリープ状態にすることが可能であり、
前記制御モジュールは、（ｉ）前記第１クライアントモジュールについて第１優先度を定め、（ｉｉ）前記第２クライアントモジュールについて第２優先度を定め、（ｉｉｉ）前記第１優先度および前記第２優先度に基づいて、前記第１クライアントモジュールを前記アクティブ状態にして前記第１クライアントモジュールと前記無線周波数システムとの間で通信を可能にするとともに、前記第２クライアントモジュールを前記スリープ状態にして前記第２クライアントモジュールと前記無線周波数システムとの間の通信を不可能にし、
前記無線周波数システムは、
前記アンテナを通じて、前記媒体アクセスコントローラから前記ネットワークへの第１信号を伝送する送信機と、
前記アンテナを通じて、前記ネットワークからの第２信号を受信する受信機と、
（ｉ）第１状態において前記アンテナを前記送信機に接続し、（ｉｉ）第２状態において前記アンテナを前記受信機に接続するスイッチと、
（ｉ）前記送信機および前記受信機と（ｉｉ）前記媒体アクセスコントローラとの間に接続され、前記第１信号および前記第２信号を処理するベースバンドプロセッサモジュールと
を有するネットワークインタフェース。
【請求項７】
前記第１クライアントモジュールは、前記第１クライアントモジュールが前記スリープ状態に入ることを示す信号を前記第２クライアントモジュールへ送信する
請求項１から６のいずれか一項に記載のネットワークインタフェース。
【請求項８】
前記第１クライアントモジュールは、前記第１クライアントモジュールが前記ネットワークから伝送を受信することになっている期間に前記第２クライアントモジュールが前記ネットワークから伝送を受信することを防ぐ
請求項１から７のいずれか一項に記載のネットワークインタフェース。
【請求項９】
前記第２クライアントモジュールは、前記第１クライアントモジュールが（ｉ）前記アンテナおよび（ｉｉ）前記無線周波数システムを通じてデータを送受信している間、前記ネットワーク内の基地局と同期したままの状態にある
請求項１から８のいずれか一項に記載のネットワークインタフェース。
【請求項１０】
前記第１クライアントモジュールは、
前記ネットワークと第１チャネルで通信し、
前記ネットワークおよび前記第２クライアントモジュールとの間で伝送された第１信号を検出し、
（ｉ）前記ネットワークと前記第１クライアントモジュールとの間で伝送された第２信号と（ｉｉ）前記ネットワークと前記第２クライアントモジュールとの間で伝送された前記第１信号との間の干渉を、前記ネットワーク内のアクセスポイントへ通知し、
前記干渉に基づき前記第１チャネルとは異なるチャネルに切り替えるべきことを、前記アクセスポイントへ通知する
請求項１から９のいずれか一項に記載のネットワークインタフェース。
【請求項１１】
前記複数のクライアントモジュールは、第３クライアントモジュールを含み、
前記第３クライアントモジュールは、前記第２クライアントモジュールを通じて前記無線周波数システムと通信する
請求項１から３のいずれか一項に記載のネットワークインタフェース。
【請求項１２】
前記第１クライアントモジュールは、前記第３クライアントモジュールが（ｉ）前記アンテナおよび（ｉｉ）前記無線周波数システムを使用している間、前記ネットワーク内のアクセスポイントおよび基地局の１つへの登録を維持する
請求項１１に記載のネットワークインタフェース。
【請求項１３】
アンテナに結合された無線周波数システムと、
媒体アクセスコントローラと
を備え、
前記媒体アクセスコントローラは、
第１クライアントモジュール、第２クライアントモジュールおよび第３クライアントモジュールを含む複数のクライアントモジュールと、
制御モジュールと、
を有し、
前記複数のクライアントモジュールのそれぞれは、（ｉ）前記無線周波数システムおよび（ｉｉ）前記アンテナを通じてネットワークと無線通信し、前記複数のクライアントモジュールのそれぞれは、アクティブ状態またはスリープ状態にすることが可能であり、
前記制御モジュールは、（ｉ）前記第１クライアントモジュールについて第１優先度を定め、（ｉｉ）前記第２クライアントモジュールについて第２優先度を定め、（ｉｉｉ）前記第１優先度および前記第２優先度に基づいて、前記第１クライアントモジュールを前記アクティブ状態にして前記第１クライアントモジュールと前記無線周波数システムとの間で通信を可能にするとともに、前記第２クライアントモジュールを前記スリープ状態にして前記第２クライアントモジュールと前記無線周波数システムとの間の通信を不可能にし、
前記第３クライアントモジュールは、前記第２クライアントモジュールを通じて前記無線周波数システムと通信し、
前記第１クライアントモジュールは、オフセット値を前記第３クライアントモジュールに送信し、
前記第３クライアントモジュールは、前記オフセット値に基づき送受信することによって、前記第１クライアントモジュールに対する送信時刻および受信時刻を定める移動通信応用部（ＭＡＰ）との干渉を避け、前記第１クライアントモジュールが、前記移動通信応用部（ＭＡＰ）を前記ネットワークから受信する
ネットワークインタフェース。
【請求項１４】
前記制御モジュールは、（ｉ）前記第１クライアントモジュールと前記ネットワークとの間で伝送される信号と、（ｉｉ）前記第３クライアントモジュールと前記ネットワークとの間で伝送される信号とが干渉することを防ぐべく、前記第１クライアントモジュールおよび前記第３クライアントモジュールの伝送を再調整する
請求項１１から１３のいずれか一項に記載のネットワークインタフェース。
【請求項１５】
前記第２クライアントモジュールは、前記第２クライアントモジュールと前記ネットワークとの間で伝送される信号の品質を基準にして前記第１クライアントモジュールに伝送をハンドオフする
請求項１から１４のいずれか一項に記載のネットワークインタフェース。
【請求項１６】
前記第２クライアントモジュールは、前記第２クライアントモジュールが、前記ネットワークインタフェースから前記ネットワーク内のアクセスポイントへの伝送を前記第１クライアントモジュールにハンドオフすることを示すトリガを、前記アクセスポイントへ送信し、
前記第２クライアントモジュールは、前記アクセスポイントからハンドオフの確認を受け取った後に、前記第１クライアントモジュールへの前記ハンドオフを行う
請求項１５に記載のネットワークインタフェース。
【請求項１７】
前記第１クライアントモジュールは、前記スリープ状態の間に定期的に第１信号を受信し、
前記制御モジュールは、前記第１クライアントモジュールのネットワーク接続品質が無線ローカルエリアネットワークの切断閾値を上回るとき、前記スリープ状態を基地局により決定し、
前記基地局は、前記第２クライアントモジュールと通信する
請求項１から４のいずれか一項に記載のネットワークインタフェース。
【発明の詳細な説明】
【技術分野】
【０００１】
本開示は、無線ネットワーク装置に関し、より詳しくは、複数のコンポーネントを共有する複数の無線サブクライアントを有する無線ネットワーク装置のための共存システムに関する。
【背景技術】
【０００２】
無線ＬＡＮ（ＷＬＡＮ）において、クライアントステーションは、他のクライアントステーションとアドホックモードで通信でき、また、アクセスポイントとインフラモードで通信することができる。ＷＬＡＮの範囲は、一般的に、数百フィート内である。クライアントステーションは、一般的に、ホストデバイスに関連する無線ネットワークインターフェースを含む。ホストデバイスは、デスクトップコンピュータ、パーソナル携帯情報機器（ＰＤＡ）、携帯電話、ラップトップコンピュータ、パソコン（ＰＣ）、プリンタ、デジタルカメラ、インターネット・プロトコル電話（ＩＰフォン）などであってよい。ＡＰは、インターネットや他のネットワークとの接続性を提供する。
【０００３】
無線ネットワークインターフェースは、ワイマックス（ＷｉＭＡＸ）と互換性があってよい。ＷｉＭＡＸのシステムは、タイムスロットを割り当てることによってクライアントステーションとの通信をスケジューリングする。まず最初に、クライアントステーションは、基地局に登録する。基地局は、クライアントステーションがデータを送受信しなければならない時を示すＭＡＰを伝送する。ＷｉＭＡＸのクライアントが、ＭＡＰの定期的スケジューリングの間にデータを送受信しない場合、基地局は、そのクライアントの登録を解除してよい。ＷＬＡＮより短い範囲で動作する他の無線規格にブルートゥース（Ｂｌｕｅｔｏｏｔｈ（登録商標））がある。
【０００４】
同じ装置で実装される場合、ＷｉＭＡＸ、ＷＬＡＮ、および、Ｂｌｕｅｔｏｏｔｈ（登録商標）のクライアントは、装置のコストを下げるためにコンポーネントを共有し得る。共有されるコンポーネントは、アンテナ、送受信機などの無線周波数（ＲＦ）サブシステム、および、ベースバンドプロセッサなどを含み得る。コンポーネントの共有には調整が必要である。さらに、ＷｉＭＡＸ、ＷｉＦｉ、および、Ｂｌｕｅｔｏｏｔｈ（登録商標）は、同じ周波数かまたは近い周波数を用いるので、干渉が起こる可能性がある。
【発明の開示】
【課題を解決するための手段】
【０００５】
無線ネットワークインターフェースは、コンポーネントと、第１の無線プロトコルで動作する第１のサブクライアントモジュールと、第２の無線プロトコルで動作する第２のサブクライアントモジュールとを含む。第１の無線プロトコルと第２の無線プロトコルとは、異なる。第１のサブクライアントモジュールと第２のサブクライアントモジュールとでコンポーネントを共有して使用する。コンポーネント共有制御モジュールは、第１のサブクライアントモジュールを一の状態に入るまたは出るよう選択的に遷移させることにより、その状態の間に、第２のサブクライアントモジュールがコンポーネントを使用できるようにする。
【０００６】
他の特徴において、第１のサブクライアントモジュールおよび第２のサブクライアントモジュールの少なくとも１つは、アクティブサブクライアントを含む。第１のサブクライアントモジュールと第２のサブクライアントモジュールとの少なくとも１つは、ワイマックス（ＷｉＭＡＸ）のサブクライアントモジュール、無線ＬＡＮ（ＷＬＡＮ）のサブクライアントモジュール、および、Ｂｌｕｅｔｏｏｔｈ（登録商標）のサブクライアントモジュールの少なくとも１つを含む。
【０００７】
他の特徴では、状態は、スリープ状態を含む。第１のサブクライアントモジュールは、第１のサブクライアントモジュールがスリープ状態に入っていることを示す信号を第２のサブクライアントモジュールに送信する。第１のサブクライアントモジュールとコンポーネント共有制御モジュールとの少なくとも１つは、第１のサブクライアントモジュールが伝送を受信することをスケジューリングされている予め決められた時間内に第２のサブクライアントモジュールがコンポーネントを使用することを防ぐ。
【０００８】
他の特徴では、コンポーネントは、アンテナと無線周波数（ＲＦ）サブシステムとの少なくとも１つを含む。ＲＦサブシステムは、フィルタ、スイッチ、送信機（Ｔｘ）、受信機（Ｒｘ）、および、ベースバンドプロセッサ（ＢＢＰ）モジュールの少なくとも１つを含む。第１のサブクライアントモジュールは、信号電力を選択的に低下させることにより、第２のサブクライアントモジュールからの信号による信号干渉を減少させる。
【０００９】
他の特徴では、第１のサブクライアントモジュールとコンポーネント共有制御モジュールとの少なくとも１つは、第１のサブクライアントモジュールが伝送を受信することをスケジューリングされている予め決められた時間内に第２のサブクライアントモジュールが伝送を受信することを防ぐ。状態は、アイドル状態と低電力状態との少なくとも１つを含む。
【００１０】
さらなる他の特徴では、第１のサブクライアントモジュールは、ＷｉＭＡＸサブクライアントモジュールを含み、第２のサブクライアントモジュールは、ＷＬＡＮサブクライアントモジュールを含む。ＷＬＡＮサブクライアントモジュールは、予約信号をコンポーネント共有制御モジュールに伝送することにより、ＷｉＭＡＸサブクライアントモジュールがＭＡＰを受信することになっている持続時間にコンポーネントを予約する。予約信号は、ＣＴＳ−Ｓｅｌｆプロトコルを含む。ＷＬＡＮサブクライアントモジュールは、ネットワークからの伝送を受信する。ＷＬＡＮサブクライアントモジュールは、伝送をネットワークに送信する。
【００１１】
他の特徴では、システムは、無線ネットワークインターフェースと、ネットワークと通信する基地局とを含む。ＷｉＭＡＸサブクライアントモジュールは、ＷＬＡＮサブクライアントモジュールがコンポーネントを使用している間に、基地局にビジー信号を伝送する。
【００１２】
他の特徴では、システムは、無線ネットワークインターフェースを含む。ＷＬＡＮサブクライアントモジュールは、再ＭＡＰ伝送と、ＷｉＭＡＸサブクライアントモジュールからの信号との少なくとも１つを通じてＷｉＭＡＸ信号を検出する。システムは、さらに、ＷＬＡＮサブクライアントモジュールのための第１のアクセスポイント（ＡＰ）を含む。ＷＬＡＮサブクライアントモジュールは、ＷｉＭＡＸ信号による干渉、および、第１のＡＰが伝送チャネルを切り替えるべきことを第１のＡＰに知らせる。ＷＬＡＮサブクライアントモジュールは、第２のＡＰをスキャンする。
【００１３】
さらなる他の特徴では、第１のサブクライアントモジュールは、ＷＬＡＮサブクライアントモジュールを含み、第２のサブクライアントモジュールは、ＷｉＭＡＸサブクライアントモジュールを含む。コンポーネントは、上記状態の間にＷＬＡＮ周波数からＷｉＭＡＸ周波数へと選択的に切り替える無線周波数（ＲＦ）サブシステムを含む。ＷＬＡＮサブクライアントモジュールは、状態の間に信号を定期的に受信する。ＷｉＭＡＸサブクライアントモジュールが信号を受信することになっているとき、定期的に受信される信号の少なくとも１つはスキップされる。コンポーネント共有制御モジュールは、ＷＬＡＮサブクライアントモジュールのネットワーク接続の品質がＷＬＡＮネットワークの切断閾値を上回るとき、基地局により状態を選択的に決定してよい。基地局は、ＷｉＭＡＸサブクライアントモジュールと通信する。コンポーネント共有制御モジュールは、媒体アクセス制御モジュール（ＭＡＣ）を含む。
【００１４】
他の特徴では、システムは、無線ネットワークインターフェースを含み、さらに、複数のアクセスポイント（ＡＰ）および基地局を含む。ＭＡＣは、第１のサブクライアントモジュールおよび第２のサブクライアントモジュールを複数のＡＰおよび基地局のそれぞれに選択的に接続するモバイルマネージャ・モジュールを含む。ＭＡＣは、さらに、第１のサブクライアントモジュールおよび第２のサブクライアントモジュールの状態を制御する共存制御モジュールを含む。状態は、アイドル、スキャン、ネットワークエントリ、登録済み、および、アクティブを含む。共存制御モジュールは、第１のサブクライアントと第２のサブクライアントとのどちらがコンポーネントに対し優先権をもつかを決定し、優先権に基づき、選択的な伝送を制御する。
【００１５】
さらなる他の特徴では、無線ネットワークインターフェース方法は、第１の無線プロトコルで第１のサブクライアントモジュールを動作させ、第２の無線プロトコルで第２のサブクライアントモジュールを動作させることを含む。第１の無線プロトコルと第２の無線プロトコルとは異なる。第１のサブクライアントモジュールと第２のサブクライアントモジュールとでコンポーネントを共有して使用する。方法は、第１のサブクライアントモジュールを一の状態に入るまたは出るよう選択的に遷移させることにより、その状態の間に第２のサブクライアントモジュールがコンポーネントを使用できるようにする。
【００１６】
無線ネットワークインターフェース方法では、第１のサブクライアントモジュールと第２のサブクライアントモジュールとの少なくとも１つは、アクティブサブクライアントを含む。第１のサブクライアントモジュールと第２のサブクライアントモジュールとの少なくとも１つは、ＷｉＭＡＸのサブクライアントモジュール、ＷＬＡＮのサブクライアントモジュール、および、Ｂｌｕｅｔｏｏｔｈ（登録商標）のサブクライアントモジュールの少なくとも１つを含む。無線ネットワークインターフェース方法では、第１のサブクライアントモジュールを上記状態に入るまたは出るよう選択的に遷移させることは、第１のサブクライアントモジュールをスリープ状態に入るまたは出るよう選択的に遷移させることを含む。
【００１７】
他の特徴では、第１のサブクライアントモジュールは、第１のサブクライアントモジュールがスリープ状態に入っていることを示す信号を第２のサブクライアントモジュールに送信する。無線ネットワークインターフェース方法は、第１のサブクライアントモジュールが伝送を受信することをスケジューリングされている予め決められた時間内に、第２のサブクライアントモジュールがコンポーネントを使用するのを防ぐことをさらに含む。コンポーネントは、アンテナと無線周波数（ＲＦ）サブシステムとの少なくとも１つを含む。
【００１８】
他の特徴では、ＲＦサブシステムは、フィルタ、スイッチ、送信機（Ｔｘ）、受信機（Ｒｘ）、および、ベースバンドプロセッサ（ＢＢＰ）モジュールの少なくとも１つを含む。無線ネットワークインターフェース方法は、信号電力を選択的に低下させることにより、第２のサブクライアントモジュールからの信号による信号干渉を選択的に減少させる。無線ネットワークインターフェース方法は、第１のサブクライアントモジュールが伝送を受信することをスケジューリングされている予め決められた時間内に、第２のサブクライアントモジュールが伝送を受信することを防ぐことをさらに含む。第１のサブクライアントモジュールを上記状態に入るまたは出るよう選択的に遷移させることは、第１のサブクライアントモジュールをアイドル状態と低電力状態との少なくとも１つに入るまたは出るよう選択的に遷移させることを含む。
【００１９】
他の特徴では、第１のサブクライアントモジュールは、ＷｉＭＡＸサブクライアントモジュールを含み、第２のサブクライアントモジュールは、ＷＬＡＮサブクライアントモジュールを含む。無線ネットワークインターフェース方法は、予約信号をコンポーネント共有制御モジュールに伝送することをさらに含む。方法は、ＷｉＭＡＸサブクライアントモジュールがＭＡＰを受信することになっている持続時間中にコンポーネントを予約することも含む。無線ネットワークインターフェース方法では、予約信号は、ＣＴＳ−Ｓｅｌｆプロトコルを含む。ＷＬＡＮサブクライアントモジュールは、ネットワークからの伝送を受信する。ＷＬＡＮサブクライアントモジュールは、伝送をネットワークに送信し、基地局は、ネットワークと通信する。ＷｉＭＡＸサブクライアントモジュールは、ＷＬＡＮサブクライアントモジュールがコンポーネントを使用している間に、基地局にビジー信号を伝送する。
【００２０】
他の特徴では、無線ネットワークインターフェース方法は、再ＭＡＰ伝送と、ＷｉＭＡＸサブクライアントモジュールからの信号との少なくとも１つを通じてＷｉＭＡＸ信号を検出することを含む。方法は、さらに、ＷｉＭＡＸ信号による干渉、および、第１のＡＰが伝送チャネルを切り替えるべきことを第１のＡＰに知らせることを含む。方法は、さらに、第２のＡＰをスキャンすることを含む。
【００２１】
さらなる他の特徴では、第１のサブクライアントモジュールは、ＷＬＡＮサブクライアントモジュールを含み、第２のサブクライアントモジュールは、ＷｉＭＡＸサブクライアントモジュールを含む。無線ネットワークインターフェース方法は、さらに、上記状態の間にＷＬＡＮ周波数からＷｉＭＡＸ周波数へと選択的に切り替えることを含む。無線ネットワークインターフェース方法は、さらに、ＷＬＡＮサブクライアントモジュールが、上記状態の間に信号を定期的に受信することを含む。無線ネットワークインターフェース方法は、さらに、ＷｉＭＡＸサブクライアントモジュールが信号を受信することになっているとき、定期的に受信する信号の少なくとも１つをスキップすることを含む。無線ネットワークインターフェース方法は、さらに、ＷＬＡＮサブクライアントモジュールのネットワーク接続の品質がＷＬＡＮネットワークの切断閾値を上回るとき、基地局により状態を選択的に決定することを含む。
【００２２】
他の特徴では、コンポーネント共有制御モジュールは、媒体ＭＡＣを含む。無線ネットワークインターフェース方法は、さらに、ＭＡＣ内のモバイルマネージャ・モジュールが第１のサブクライアントモジュールおよび第２のサブクライアントモジュールを複数のＡＰおよび基地局のそれぞれに選択的に接続することを含む。方法は、さらに、ＭＡＣ内の共存制御モジュールが第１のサブクライアントモジュールおよび第２のサブクライアントモジュールの状態を制御することを含む。状態は、アイドル、スキャン、ネットワークエントリ、登録済み、および、アクティブを含む。方法は、さらに、第１のサブクライアントと第２のサブクライアントとのどちらがコンポーネントに対し優先権をもつかを決定し、優先権に基づき、選択的な伝送を制御することを含む。
【００２３】
さらなる他の特徴では、無線ネットワークインターフェースは、ネットワーク手段と対話するコンポーネント手段を含む。インターフェースは、第１の無線プロトコルで動作する第１のサブクライアント手段と、第２の無線プロトコルで動作する第２のサブクライアント手段とを含む。第１の無線プロトコルと第２の無線プロトコルとは異なる。第１のサブクライアント手段と第２のサブクライアント手段とでコンポーネント手段を共有して使用する。インターフェースは、第１のサブクライアント手段を一の状態に入るまたは出るよう選択的に遷移させることにより、その状態の間に第２のサブクライアント手段がコンポーネント手段を使用できるようにするコンポーネント共有手段を含む。
【００２４】
他の特徴では、第１のサブクライアント手段と第２のサブクライアント手段との少なくとも１つは、アクティブである。第１のサブクライアント手段と第２のサブクライアント手段との少なくとも１つは、ＷｉＭＡＸ用サブクライアント手段、ＷＬＡＮ用サブクライアント手段、および、Ｂｌｕｅｔｏｏｔｈ（登録商標）用サブクライアント手段の少なくとも１つを含む。
【００２５】
他の特徴では、状態は、スリープ状態を含む。第１のサブクライアント手段は、第１のサブクライアント手段がスリープ状態に入っていることを示す信号を第２のサブクライアント手段に送信する。第１のサブクライアント手段とコンポーネント共有手段との少なくとも１つは、予め決められた時間内に第２のサブクライアント手段がコンポーネント手段を使用するのを防ぐ。予め決められた時間は、第１のサブクライアント手段が伝送を受信することになっている持続時間である。
【００２６】
コンポーネント手段は、信号を受信するアンテナ手段と、信号を処理するＲＦサブシステム手段との少なくとも１つを含む。ＲＦサブシステム手段は、信号をフィルタリングするフィルタ手段、信号を転送するスイッチ手段、信号を送信する送信機手段、信号を受信する受信機手段、および、信号のベースバンドを処理するベースバンドプロセッサ手段の少なくとも１つを含む。第１のサブクライアント手段は、信号電力を選択的に低下させることにより、第２のサブクライアント手段からの信号による信号干渉を選択的に減少させる。
【００２７】
第１のサブクライアント手段およびコンポーネント共有手段の少なくとも１つは、第１のサブクライアント手段が伝送を受信することをスケジューリングされている予め決められた時間内に第２のサブクライアント手段が伝送を受信することを防ぐ。状態は、アイドル状態と低電力状態との少なくとも１つを含む。
【００２８】
第１のサブクライアント手段は、ＷｉＭＡＸ用サブクライアント手段を含み、第２のサブクライアント手段は、ＷＬＡＮ用サブクライアント手段を含む。ＷＬＡＮサブクライアント手段は、予約信号をコンポーネント共有手段に伝送することにより、ＷｉＭＡＸサブクライアント手段がＭＡＰを受信することになっている持続時間にコンポーネント手段を予約する。予約信号は、ＣＴＳ−Ｓｅｌｆプロトコルを含む。ＷＬＡＮサブクライアント手段は、デバイス間の通信のためのネットワーク手段からの伝送を受信する。ＷＬＡＮサブクライアント手段は、伝送をネットワーク手段に送信する。
【００２９】
他の特徴では、システムは、無線ネットワークインターフェースを含む。システムは、さらに、ネットワーク手段と通信する基地局手段も含む。ＷｉＭＡＸサブクライアント手段は、ＷＬＡＮサブクライアント手段がコンポーネント手段を使用している間に、基地局にビジー信号を伝送する。
【００３０】
他の特徴では、ＷＬＡＮサブクライアント手段は、再ＭＡＰ伝送と、ＷｉＭＡＸサブクライアント手段からの信号との少なくとも１つを通じてＷｉＭＡＸ信号を検出する。システムは、さらに、ＷＬＡＮサブクライアント手段用のネットワーク手段にアクセスする第１のＡＰ手段を含む。ＷＬＡＮサブクライアント手段は、ＷｉＭＡＸ信号による干渉、および、第１のＡＰ手段が伝送チャネルを切り替えるべきことを第１のＡＰ手段に知らせる。ＷＬＡＮサブクライアント手段は、ネットワーク手段にアクセスする第２のＡＰ手段をスキャンする。
【００３１】
さらなる他の特徴では、第１のサブクライアント手段は、ＷＬＡＮを操作するサブクライアント手段を含み、第２のサブクライアント手段は、ＷｉＭＡＸを操作するサブクライアント手段を含む。コンポーネント手段は、上記状態の間にＷＬＡＮ周波数からＷｉＭＡＸ周波数へと選択的に切り替える無線周波数（ＲＦ）サブシステムを含む。ＷＬＡＮサブクライアント手段は、上記状態の間に信号を定期的に受信する。定期的に受信される信号の少なくとも１つは、ＷｉＭＡＸサブクライアント手段が信号を受信することになっているときはスキップされてよい。コンポーネント共有手段は、ＷＬＡＮサブクライアント手段のネットワーク接続の品質がＷＬＡＮネットワークの切断閾値を上回るとき、基地局手段の状態をネットワークと通信する状態に選択的に決定してよい。基地局手段は、ＷｉＭＡＸサブクライアント手段と通信する。コンポーネント共有手段は、ネットワークにアクセスするＭＡＣ手段を含む。
【００３２】
他の特徴では、システムは、無線ネットワークインターフェースを含み、さらに、ネットワークにアクセスする複数のＡＰ手段、および、ネットワークにアクセスする基地局手段を含む。ＭＡＣ手段は、第１のサブクライアント手段および第２のサブクライアント手段を複数のＡＰ手段および基地局手段のそれぞれに選択的に接続するモバイルマネージャ手段を含む。ＭＡＣ手段は、さらに、第１のサブクライアント手段および第２のサブクライアント手段の状態を制御する共存制御手段を含む。状態は、アイドル、スキャン、ネットワークエントリ、登録済み、および、アクティブを含む。共存制御手段は、第１のサブクライアント手段と第２のサブクライアント手段とのどちらがコンポーネントに対し優先権をもつかを決定し、優先権に基づき、選択的な伝送を制御する。
【００３３】
さらなる他の特徴では、無線ネットワークインターフェースを操作するプロセッサに格納されて用いられるコンピュータプログラムは、第１の無線プロトコルで第１のサブクライアントモジュールを動作させ、第２の無線プロトコルで第２のサブクライアントモジュールを動作させることを含む。第１の無線プロトコルと第２の無線プロトコルとは、異なる。第１のサブクライアントモジュールと第２のサブクライアントモジュールとでコンポーネントを共有して使用する。コンピュータプログラムは、第１のサブクライアントモジュールを一の状態に入るまたは出るよう選択的に遷移させることにより、その状態の間に第２のサブクライアントモジュールがコンポーネントを使用できるようにする。
【００３４】
他の特徴において、第１のサブクライアントモジュールと第２のサブクライアントモジュールとの少なくとも１つは、アクティブサブクライアントを含む。第１のサブクライアントモジュールと第２のサブクライアントモジュールとの少なくとも１つは、ＷｉＭＡＸのサブクライアントモジュール、ＷＬＡＮのサブクライアントモジュール、および、Ｂｌｕｅｔｏｏｔｈ（登録商標）のサブクライアントモジュールの少なくとも１つを含む。コンピュータプログラムでは、第１のサブクライアントモジュールを上記状態に入るまたは出るよう選択的に遷移させることは、第１のサブクライアントモジュールをスリープ状態に入るまたは出るよう選択的に遷移させることを含む。
【００３５】
他の特徴では、第１のサブクライアントモジュールは、第１のサブクライアントモジュールがスリープ状態に入っていることを示す信号を第２のクライアントモジュールに送信する。コンピュータプログラムは、さらに、第１のサブクライアントモジュールが伝送を受信することをスケジューリングされている予め決められた時間内に第２のサブクライアントモジュールがコンポーネントを使用するのを防ぐ。コンポーネントは、アンテナと無線周波数（ＲＦ）サブシステムとの少なくとも１つを含む。
【００３６】
他の特徴では、ＲＦサブシステムは、フィルタ、スイッチ、Ｔｘ、Ｒｘ、および、ＢＢＰモジュールの少なくとも１つを含む。コンピュータプログラムは、さらに、信号電力を選択的に低下させることにより、第２のサブクライアントモジュールからの信号による信号干渉を減少させることを含む。コンピュータプログラムは、第１のサブクライアントモジュールが伝送を受信することになっている予め決められた時間内に第２のサブクライアントモジュールが受信するのを防ぐ。コンピュータプログラムは、第１のサブクライアントモジュールをアイドル状態と低電力状態との少なくとも１つに入るまたは出るよう選択的に遷移させる。
【００３７】
他の特徴では、第１のサブクライアントモジュールは、ＷｉＭＡＸサブクライアントモジュールを含み、第２のサブクライアントモジュールは、ＷＬＡＮサブクライアントモジュールを含む。コンピュータプログラムは、予約信号をコンポーネント共有制御モジュールに伝送することを含む。コンピュータプログラムは、また、ＷｉＭＡＸサブクライアントモジュールがＭＡＰを受信することになっている持続時間にコンポーネントを予約する。予約信号は、ＣＴＳ−Ｓｅｌｆプロトコルを含む。
【００３８】
他の特徴では、ＷＬＡＮサブクライアントモジュールは、ネットワークから／に伝送を受信／送信する。基地局は、ネットワークと通信し、ＷｉＭＡＸサブクライアントモジュールは、ＷＬＡＮサブクライアントモジュールがコンポーネントを使用している間に、基地局にビジー信号を伝送する。
【００３９】
他の特徴では、コンピュータプログラムは、再ＭＡＰ伝送、および、ＷｉＭＡＸサブクライアントモジュールからの信号の少なくとも１つを通じてＷｉＭＡＸ信号を検出することをさらに含む。コンピュータプログラムは、さらに、ＷｉＭＡＸ信号による干渉、および、第１のＡＰが伝送チャネルを切り替えるべきことを第１のＡＰに知らせる。コンピュータプログラムは、第２のＡＰをスキャンすることをさらに含む。
【００４０】
さらなる他の特徴では、第１のサブクライアントモジュールは、ＷＬＡＮサブクライアントモジュールを含み、第２のサブクライアントモジュールは、ＷｉＭＡＸサブクライアントモジュールを含む。コンピュータプログラムは、さらに、上記状態の間にＷＬＡＮ周波数からＷｉＭＡＸ周波数へと選択的に切り替えることを含む。コンピュータプログラムは、さらに、ＷＬＡＮサブクライアントモジュールが上記状態の間に信号を定期的に受信することを含む。コンピュータプログラムは、さらに、ＷｉＭＡＸサブクライアントモジュールが信号を受信することになっているとき、定期的に受信する信号の少なくとも１つをスキップすることを含む。コンピュータプログラムは、さらに、ＷＬＡＮサブクライアントモジュールのネットワーク接続の品質がＷＬＡＮネットワークの切断閾値を上回るとき、基地局により状態を選択的に決定することを含む。
【００４１】
他の特徴では、コンポーネント共有制御モジュールは、ＭＡＣ（媒体アクセス制御）を含む。コンピュータプログラムは、さらに、第１のサブクライアントモジュールおよび第２のサブクライアントモジュールを複数のＡＰおよび基地局のそれぞれに選択的に接続することを含む。コンピュータプログラムは、さらに、第１のサブクライアントモジュールおよび第２のサブクライアントモジュールの状態を制御することを含む。状態は、アイドル、スキャン、ネットワークエントリ、登録済み、および、アクティブを含む。コンピュータプログラムは、さらに、第１のサブクライアントと第２のサブクライアントとのどちらがコンポーネントに対し優先権をもつかを決定し、優先権に基づき、選択的な伝送を制御することを含む。
【００４２】
本開示の適用性のさらなる領域は、以下の詳細な説明から明らかになるであろう。本開示の好適な実施形態を示すが、詳細な説明および具体例は例示に過ぎず、本開示の範囲を限定するよう意図されていないことを理解されたい。
【図面の簡単な説明】
【００４３】
本開示は、以下の詳細な説明および添付の図面からより十分に理解されるだろう。
【００４４】
【図１】無線ネットワーク装置の共存システムの機能ブロック図である。
【００４５】
【図２】コンポーネントを共有する方法を示すシーケンス図である。
【００４６】
【図３】ＷＬＡＮサブクライアントの状態遷移図である。
【００４７】
【図４】ＷｉＭＡＸサブクライアントの状態遷移図である。
【００４８】
【図５】コンポーネントを共有する方法を示すシーケンス図である。
【００４９】
【図６】コンポーネントを共有する方法を示すシーケンス図である。
【００５０】
【図７】複数のサブクライアントの共存をサポートする方法を示すブロック図である。
【００５１】
【図８】複数のサブクライアント間でコンポーネントをハンドオフする方法を示すブロック図である。
【００５２】
【図９】スケジューリングされたＷＬＡＮのアクティブ期間を含むＷｉＭＡＸ信号の時間フレーム図である。
【００５３】
【図１０】ＷＬＡＮサブクライアントの不定期自動節電配信機能（Ｕ−ＡＰＳＤ）のプロトコル図である。
【００５４】
【図１１Ａ】車両制御システムの機能ブロック図である。
【００５５】
【図１１Ｂ】携帯電話の機能ブロック図である。
【００５６】
【図１１Ｃ】セットトップボックスの機能ブロック図である。
【００５７】
【図１１Ｄ】メディアプレーヤの機能ブロック図である。
【発明を実施するための最良の形態】
【００５８】
以下の説明は、本来、単なる例に過ぎず、本開示、その用途あるいは使用を制限することは全く意図していない。説明を明確にする目的で、複数の図面における同様の要素を識別するために同じ参照符号を用いている。本願明細書中に用いられるモジュール、回路、および／または、デバイスなどの用語は、特定用途向け集積回路（ＡＳＩＣ）、電子回路、プロセッサ（共有、専用、または、グループ）、および、１つ以上のソフトウェアまたはファームウェアプログラムを実行するメモリ、組合せ論理回路、および／または、望ましい機能を提供する他の適切なコンポーネントのことを指す。本願明細書中で用いられるような、Ａ、Ｂ１、および、Ｃの少なくとも１つという言い回しは、論理（Ａ、または、Ｂ、または、Ｃ）であり、非排他的な論理和を用いていると理解されたい。方法内のステップは、本開示の原理を変えることなく異なる順序で実行し得ると理解されたい。
【００５９】
本開示は、コンポーネントを共有するさまざまなサブクライアント、例えば、無線ＬＡＮ（ＷＬＡＮ）サブクライアント、ワイマックス（ＷｉＭＡＸ）サブクライアント、および、ブルートゥース（ＢＴ）サブクライアントなどをサポートする無線ネットワークインターフェースを有する無線ネットワーク装置の共存システムおよび方法を含む。
【００６０】
図１を参照すると、コンポーネントを共有する複数のサブクライアントを有する無線ネットワーク装置のための共存システム１０が示されている。複数の無線アクセスポイント（ＡＰ）１２−１、１２−２、...、１２−Ｘ（まとめてＡＰ１２と呼ぶ）および／または、基地局１３−１、１３−２、...、１３−Ｘ（まとめて基地局１３と呼ぶ）は、無線ネットワークインターフェース１６を有するホスト１４と、インターネット１９を含み得る複数のネットワーク１８−１、１８−２、...、１８−Ｚとの間の接続を提供する。ＡＰ１２および基地局１３は、ルータ２０−１、２０−２、...、２０−Ｚを通じてネットワークと通信し得る。無線ネットワークインターフェース１６は、ＡＰ１２、基地局１３、および／または、他の無線クライアントステーション１７と通信する。ホスト１４は、パーソナル携帯情報機器（ＰＤＡ）、携帯電話、ラップトップコンピュータ、パソコン（ＰＣ）、プリンタ、デジタルカメラ、または、インターネットプロトコル電話（ＩＰフォン）であってよい。
【００６１】
無線ネットワークインターフェース１６は、アンテナ２２、無線周波数（ＲＦ）サブシステム２３（フィルタ２４、スイッチ２５、送信機（Ｔｘ）２６、受信機（Ｒｘ）２７、および／または、ベースバンドプロセッサ（ＢＢＰ）モジュール２８などを含む）などの共有コンポーネントを含み得る。さらに、各サブクライアントは、アンテナ、フィルタ、スイッチ、Ｔｘ、Ｒｘ、および／または、ＢＢＰモジュールを含み得る。無線通信は、米国電気電子学会（ＩＥＥＥ）規格８０２．１１、８０２．１１ａ、８０２．１１ｂ、８０２．１１ｇ、８０２．１１ｈ、８０２．１１ｎ、８０２．１６、８０２．１６ａ、８０２．１６ｅ、８０２．１６−２００４、および、８０２．２０、および／または、ブルートゥースエスアイジー（ＳＩＧ）により発行されたＢｌｕｅｔｏｏｔｈ（登録商標）規格の少なくとも１つを含むさまざまなプロトコルに準拠している。上記規格は、参照によってそれら全体を本願明細書中に組み込む。
【００６２】
アンテナ２２およびＲＦサブシステム２３は、本願明細書中ではコンポーネント共有制御モジュールとも呼ばれる媒体アクセス制御モジュール（ＭＡＣ）２９と通信する。ＭＡＣ２９は、ＡＰ１２および／または基地局１３の可用性および信号強度に関する情報を受信するモバイルマネージャ・モジュール３０を含み得る。モバイルマネージャ・モジュール３０は、また、適切なＡＰ１２および／または基地局１３に接続するサブクライアントの１つを選択し、共存制御モジュール３１に伝える。ＷＬＡＮ（ＷｉＦｉ）サブクライアントモジュール３２、ＷｉＭＡＸサブクライアントモジュール３４、および／または、Ｂｌｕｅｔｏｏｔｈ（登録商標）サブクライアントモジュール３５が示されている。ＭＡＣ２９は、Ｉ／Ｏモジュール３３、３７を介しホスト１４と通信し、ネットワークインターフェース１６のための処理を実行し得るプロセッサモジュール３８とも通信する。
【００６３】
ＷＬＡＮ、ＷｉＭＡＸ、および、Ｂｌｕｅｔｏｏｔｈ（登録商標）サブクライアントモジュール３２、３４、３５は、例えば、これらに限定されないが、アイドル、スキャン、ネットワークエントリ、登録済み、および、アクティブなどのさまざまな状態またはモードにあってよい。これらの状態は、共存制御モジュール３１、または、サブクライアントモジュール３２、３４により制御され得る。アイドル状態では、サブクライアントモジュール３２、３４は、ＡＰまたは基地局に接続していないし、スキャンもしていない。スキャン状態では、サブクライアントモジュール３２、３４は、ＡＰまたは基地局に接続されていないが、ビーコンまたはＭＡＰを受信している。ネットワークエントリ状態では、サブクライアントモジュール３２、３４は、ＡＰまたは基地局をすでに識別しており、ＡＰまたは基地局に登録するためのネットワークエントリをしている過程にある。登録済み状態では、サブクライアントモジュール３２、３４は、ネットワークエントリを終えており、ＡＰまたは基地局への登録も済ませているが、ユーザデータを渡していない。アクティブ状態では、サブクライアントモジュール３２、３４は、ユーザデータを渡している。単一の携帯デバイス内に複数の無線アクセスデバイスがある場合、共存制御モジュール３１は、１つのサブクライアントモジュールへの同時のネットワークエントリを制限する。さらに、サブクライアントモジュール３２、３４は、その他の状態に別々に移行することにより、同時アクティブ状態の干渉を避ける。送信および／または受信しているときは、状態に関わらず、サブクライアントモジュールは、コンポーネント（アンテナ、ＲＦサブシステムなど）を共有して使用することを要求し得る。
【００６４】
節電特性、伝送、および、受信の必要条件は、各状態において異なる。アイドル状態では、送信機および受信機はどちらも非アクティブであり、サブクライアントモジュールが消費する電力は、非常に低い。アクティブおよびアイドル状態以外のどの状態でもあり得る低電力状態では、サブクライアントモジュールは、非常に低速でデータを送信または受信しているか、または、全くしていない。アクティブ状態では、サブクライアントモジュールは、積極的にデータを送受信している。さらに、サブクライアントモジュールは、一時的にアイドル状態または低電力状態に入ることを含み得るスリープ状態に入ってよい。
【００６５】
図２を参照すると、共存制御モジュール３１を動作させる方法１００が示されている。ステップ１０２において、共存制御モジュール３１は、各サブクライアントモジュールの状態を定義することにより、サブクライアントモジュールの起動状態（アイドル、低電力、アクティブ）、および、コンポーネント優先権に対するサブクライアントモジュールの優先順位を示す。コンポーネント優先権は、伝送されるデータのタイプ（音声、非音声、マネジメントメッセージなど）に基づく。ステップ１０４では、第１のサブクライアントモジュールは、他のすべてのサブクライアントがアイドルであるときに起動して（アクティブに状態変化して）よい。ステップ１０６では、第１のサブクライアントモジュールは、他のサブクライアントの状態を再チェックして競争状態（すなわち、２つのサブクライアントモジュールが共有コンポーネントの使用を試みている）がないことを確認する。コンポーネントを競う他のサブクライアントがなければ、ステップ１０８で、第１のサブクライアントモジュールは、共有コンポーネントを続けて使用する。コンポーネントを競う他のクライアントがあれば、ステップ１１０で、優先順位の高いサブクライアントが共有コンポーネントにアクセスする。
【００６６】
図３を参照すると、ＷＬＡＮサブクライアントモジュール３２の状態遷移図２００が示されている。状態２０２において、ＷＬＡＮサブクライアントモジュール３２は、パワーアップ完了信号を受信した後、スキャンの前に、予め決められた期間（または、ホスト１４がスキャンを命じるまで）アイドル状態になる。状態２０４において、ＷＬＡＮサブクライアントモジュール３２は、スキャン状態に入り、共存制御モジュール３１がＷＬＡＮサブクライアントモジュール３２に適切なＡＰを用いてネットワークエントリを実行するよう命じるまで、利用可能なＡＰをスキャンする。状態２０６では、ＷＬＡＮサブクライアントモジュール３２は、ネットワークに入る。
【００６７】
状態２０８において、ＡＰに登録した後、ＷＬＡＮサブクライアントモジュール３２は、低電力状態に入り、ＡＰとの接続を維持するも、ＡＰにデータを渡さない。状態２１０では、ＷＬＡＮサブクライアントモジュール３２は、共存制御モジュール３１により通知されると、アクティブ状態へと移行してユーザデータをＡＰに渡す。ＷｉＭＡＸサブクライアントモジュール３４がデータに用いられる場合、共存制御モジュール３１は、ＷＬＡＮサブクライアントモジュール３２を例えば状態２０８のような登録済み状態などの低電力状態へと移行させる。ＷＬＡＮリンクがドロップした場合、ＷＬＡＮサブクライアントモジュール３２は、状態２０２のようなアイドル状態へと戻る。状態２１２では、ＷＬＡＮサブクライアントモジュール３２またはＡＰは、ＷＬＡＮサブクライアントモジュール３２の登録を解除することができる。ＷＬＡＮサブクライアントモジュール３２は、状態２０８のような登録済み状態に戻ることができる。ＷＬＡＮサブクライアントモジュール３２は、状態２０２のようなアイドル状態に戻って利用可能なＡＰをスキャンすることもできる。
【００６８】
図４を参照すると、ＷｉＭＡＸサブクライアントモジュール３４の状態遷移図２００が示されている。状態２２０において、ＷｉＭＡＸサブクライアントモジュール３４は、パワーアップ完了信号を受信した後、スキャンの前に、予め決められた期間（または、ホスト１４がスキャンを命じるまで）アイドル状態になる。状態２２２において、ＷｉＭＡＸサブクライアントモジュール３４は、スキャン状態に入り、共存制御モジュール３１がＷｉＭＡＸサブクライアントモジュール３４にネットワークに入るよう命じるまで、利用可能な基地局をスキャンする。状態２２４において、ＷｉＭＡＸサブクライアントモジュール３４は、ネットワークに入る。
【００６９】
状態２２６において、ＷｉＭＡＸサブクライアントモジュール３４は、基地局に登録した後、低電力状態に入り、基地局との接続を維持するも、基地局にデータは渡さない。状態２２８において、ＷｉＭＡＸサブクライアントモジュール３４は、共存制御モジュール３１から通知を受けると、アクティブ状態へと移行してユーザデータを基地局に渡す。ユーザデータ用に用いられているのがＷＬＡＮサブクライアントモジュール３２である場合、共存制御モジュール３１は、ＷｉＭＡＸサブクライアントモジュール３４を状態２２６のような登録済み状態へと移行させる。ＷｉＭＡＸリンクがドロップした場合、ＷｉＭＡＸサブクライアントモジュール３４は、状態２２０のようなアイドル状態に戻る。状態２３０において、ＷｉＭＡＸサブクライアントモジュール３４または基地局は、ＷｉＭＡＸサブクライアントモジュール３４の登録を解除することができる。ＷｉＭＡＸサブクライアントモジュール３４は、状態２２６のような登録済み状態に戻ることができる。ＷｉＭＡＸサブクライアントモジュール３４は、状態２１８のようなアイドル状態に戻って利用可能な基地局をスキャンすることもできる。
【００７０】
図５を参照すると、低電力サブクライアント２５２とアクティブサブクライアント２５４との間でコンポーネントを共有する方法のシーケンス図２５０が示されている。低電力サブクライアントおよびアクティブサブクライアントのいずれかまたはどちらもＷｉＭＡＸ、ＷＬＡＮ、および／または、Ｂｌｕｅｔｏｏｔｈ（登録商標）サブクライアントであり得る。低電力サブクライアント２５２がネットワークインタラクションを要求する場合、低電力サブクライアント２５２は、共有コンポーネントの要求２５６をアクティブサブクライアント２５４に送信する。アクティブサブクライアント２５４は、ペンディングの自動再送要求（ＡＲＱ）パケットを承認すること、および、アクティブサブクライアント２５４が一定の期間スリープ状態に入ることをＡＰに伝えること、などを含み得る要求２５６に従う。アクティブサブクライアント２５４は、予め決められた時間２５７内にアクノレッジ信号２５８（ＡＣＫ）を送信する。その後、低電力サブクライアント２５２は、意図された機能（例えば、共有コンポーネントでの送受信）を実行し、予め決められた期限２６０内に、送受信完了メッセージ２６４をアクティブサブクライアント２５４に送信する。アクティブサブクライアント２５４は、アクノレッジ信号２６６でそれに応じる。メッセージ２５６、２５８、２６４、２６６は、ホスト１４内の一組のレジスタ、または、共有メモリを介し送信されることができる。サブクライアント２５２、２５４は、共通のタイムベースにおけるポーリング、または、交互の割り込み要求（ＩＲＱ）のいずれかを用いることにより、メッセージ２５６、２５８、２６４、２６６を送受信することもできる。
【００７１】
代替例では、２つのサブクライアントは、低電力状態にあってよい。第１の低電力サブクライアントが共有コンポーネントを要求すると、第１の低電力サブクライアントまたは共存制御モジュールのいずれかにより、第２の低電力サブクライアントに割り込み信号が送信され、第２の低電力サブクライアントはその割り込み信号をサービスすべく動作する。第１の低電力サブクライアントは、第２の低電力サブクライアントの状態をチェックし、第２の低電力サブクライアントがアクティブなときは、第１および第２のサブクライアントは、図５に示すようなシーケンス図に従ってよい。第２の低電力サブクライアントが低電力状態にあるときは、第１の低電力サブクライアントは、共有コンポーネントを管理してよい。送受信の完了後、第１の低電力サブクライアントは共有コンポーネントの制御をやめてよい。
【００７２】
１つの例示的実施形態では、ＷｉＭＡＸクライアントがいつＭＡＰを予想しているかをＷＬＡＮクライアントが知っている場合、一定の期間媒体を予約するＣＴＳ−Ｓｅｌｆを伝送できる。そして、ＷｉＭＡＸクライアントは、ＷＬＡＮの干渉を受けずにＭＡＰを受信することができる。この特徴は、すべてのダウンリンクまたはアップリンク伝送を確実にすべく適用され得る。
【００７３】
図６を参照すると、典型的な共存システムが示されている。図のＢｌｕｅｔｏｏｔｈ（登録商標）サブクライアント２７２は、ＷＬＡＮサブクライアントと接続する。ＷＬＡＮサブクライアントは、アクティブ状態にあるとき、伝送を中断して共有コンポーネントへのアクセスをＢｌｕｅｔｏｏｔｈ（登録商標）サブクライアントに譲り渡してよい。ＷＬＡＮサブクライアントが低電力状態、すなわち、低電力サブクライアント２５２であり、ＷｉＭＡＸサブクライアントがアクティブ状態、すなわち、アクティブサブクライアント２５４であるとき、Ｂｌｕｅｔｏｏｔｈ（登録商標）サブクライアント２７２は、共有コンポーネントにアクセスするための優先要求２７４をＷＬＡＮ低電力サブクライアント２５２に送信してよい。この要求２７４は、ＷＬＡＮサブクライアントのクリアチャネルアセスメント（ＣＣＡ）信号をＨｉｇｈに設定することを含み得る。クリアチャネルアセスメント信号がＨｉｇｈに保たれるとき、ＷｉＭＡＸアクティブサブクライアント２５４は、データ単位（パケット）のアクティブ状態での伝送を中止してよい。ＷｉＭＡＸは、最近スケジューリングされた伝送期間でデータ単位を再伝送する。
【００７４】
予め決められた時間２５７内では、アクティブな（ＷｉＭＡＸ）サブクライアント２５４は、アクノレッジ信号２５８を送信する。そして、低電力の（ＷＬＡＮ）サブクライアント２５２は、アクノレッジ信号２７６を意図された機能２７８（例えば、共有コンポーネントにおける送信または受信）を実行するＢｌｕｅｔｏｏｔｈ（登録商標）サブクライアント２７２に送信する。低電力サブクライアント２５２は、予め決められた期限２６０内で低電力サブクライアント２５２がコンポーネントの制御を再開することを示す信号２８０を送信する。その後、低電力サブクライアント２５２は、同じく予め決められた期限２６０内に送受信完了メッセージ２６４をアクティブサブクライアント２５４に送信する。アクティブサブクライアントは、承認２６６を送信する。予め決められた期限２６０は、定期的にスケジューリングされるＭＡＰに対応するので、アクティブＷｉＭＡＸサブクライアント２５４が、他のサブクライアントの動作からの干渉により登録を解除されることを防ぐことができる。
【００７５】
ＷｉＭＡＸサブクライアントが定期的にスケジューリングされるＭＡＰ期間に干渉を受けずに送受信することをさらに確実にすべく、ＷｉＭＡＸサブクライアントは、Ｂｌｕｅｔｏｏｔｈ（登録商標）サブクライアントにオフセット値を渡すことにより、Ｂｌｕｅｔｏｏｔｈ（登録商標）の送受信プロセスをオフセットにする。あるいは、Ｂｌｕｅｔｏｏｔｈ（登録商標）サブクライアントは、予めスケジューリングされた時間間隔で、Ｂｌｕｅｔｏｏｔｈ（登録商標）送受信スケジュールをＷｉＭＡＸサブクライアントに送信してよい。共存制御モジュールは、ＷｉＭＡＸサブクライアントの伝送のスケジュールを再調整することにより、Ｂｌｕｅｔｏｏｔｈ（登録商標）とＷｉＭＡＸとの間の干渉を最小限にし得る。
【００７６】
ＷＬＡＮおよびＷｉＭＡＸサブクライアントモジュールが同時にアクティブになると、共存制御モジュール３１は、ＷｉＭＡＸサブクライアントモジュールとＷＬＡＮサブクライアントモジュールとの間の干渉は最小限になることを確認する。このことは、ＷＬＡＮサブクライアントモジュールが特定のＡＰに関連することを確認することと、ＷＬＡＮサブクライアントモジュールの伝送をＷｉＭＡＸのアップリンク期間の一部に制限することとを含む。ＷＬＡＮおよびＷｉＭＡＸサブクライアントモジュールはどちらも、伝送されたデータ単位または低電力出力を分解することにより、干渉を最小限にすることを確実にする。また、ＷＬＡＮ、ＷｉＭＡＸ、および、Ｂｌｕｅｔｏｏｔｈ（登録商標）サブクライアントの１つが選択的に信号電力を低下させることにより、別なサブクライアントモジュールからの信号による信号干渉を低減し得る。
【００７７】
本開示の代替実施形態は、Ｂｌｕｅｔｏｏｔｈ（登録商標）サブクライアントにサービスを提供するためにＷＬＡＮサブクライアントを起動させる必要がないことに注目されたい。さらに、共存制御モジュール３１は、どのサブクライアントがスリープモードにあり、どのクサブライアントがアクティブモードにあるかを追跡または検出すべく、常に稼動し得る。この共存制御モジュール３１に基づき、共通資源の共有は、資源を要求するサブクライアントとアクティブサブクライアントとの間だけで行われる。
【００７８】
図７を参照すると、複数のサブクライアントモジュールの共存を管理する方法３００が示されている。ステップ３０２において、低電力（非アクティブ）サブクライアントモジュールは、アクティブサブクライアントモジュールにコンポーネントを要求する。ステップ３０４では、アクティブサブクライアントモジュールは、スリープ状態またはパターンへと選択的に移行し、および／または、共存制御モジュールにより、一定の時間チャネルを予約する。そして、アクティブサブクライアントモジュールは、コンポーネントが利用可能であるという表示を低電力サブクライアントモジュールに返送する。ステップ３０６において、低電力サブクライアントモジュールは、コンポーネントを用いてあるいは介して送受信し、ステップ３０８において、予め決められた時間内に、低電力サブクライアントモジュールは、コンポーネントをアクティブサブクライアントモジュールに返す。アクティブサブクライアントモジュール、および／または、低電力サブクライアントモジュールは、ＷｉＭＡＸ、ＷＬＡＮ、または、Ｂｌｕｅｔｏｏｔｈ（登録商標）の１つであり得る。
【００７９】
アクティブなＷｉＭＡＸサブクライアントモジュールがスリープ状態になる前に、または、その間に、ＷｉＭＡＸの基地局にビジーパターンが伝送される。基地局スケジューラ（図示せず）は、ビジーパターンを使用してアクティブなＷｉＭＡＸサブクライアントモジュールとの間の伝送（アップリンクおよびダウンリンク）をスケジューリングする。ビジーパターンは、Ｓｔａｒｔフレーム、Ｏｆｆｓｅｔ、Ｉｎｔｅｒｖａｌ、Ｂｕｓｙ期間、および、Ｂｌｕｅｔｏｏｔｈ（登録商標）またはＷＬＡＮによるＢｕｓｙを示す。このパターンは、一般的に、Ｂｌｕｅｔｏｏｔｈ（登録商標）サブクライアントモジュールまたはＷＬＡＮサブクライアントモジュールが共有コンポーネントを使用していることを示す。
【００８０】
１つのサブクライアントモジュールがダウンリンク伝送を予測しているとき、このサブクライアントモジュールは、他のサブクライアントモジュールへのキャリア検出信号をセットできるので、他のサブクライアントモジュールが伝送することを防ぎ、また、他のサブクライアントモジュールがランダムバックオフ状態に入るようにする。ビーコンなどを受信しているとき、低電力サブクライアントモジュールは、アクティブサブクライアントモジュールへの「Ａｂｏｒｔ  Ｔｒａｎｓｍｉｔ（伝送中止）」信号を保持することにより、アクティブサブクライアントモジュールが伝送を中止するのを確認することもできる。
【００８１】
ＷＬＡＮサブクライアントモジュールは、再ＭＡＰ伝送、あるいは、ＷｉＭＡＸサブクライアントモジュールからの指示のいずれかによりＷｉＭＡＸ信号を検出し、チャネル内で干渉を受けたことと、ＡＰは新しいチャネルに切り替えるべきこととをＷＬＡＮのＡＰに通知する。再ＭＡＰ伝送は、典型的には５ミリ秒であるＷｉＭＡＸのフレーム持続時間に基づき検出され得る。アップリンク、および／または、ダウンリンクのデューティサイクルは、フレーム持続時間の２／３または１／２であり得る。フレーム持続時間の干渉パターンに基づき、ＷＬＡＮの基地局またはアクセスポイントは、ＷｉＭＡＸシステムの存在を検出できる。また、ＷＬＡＮサブクライアントまたは共存制御モジュールは、プリアンブル検出器を実装することにより、ＷｉＭＡＸの伝送を検出することもできる。
【００８２】
ＡＰが新しいチャネルへ切り替えない場合、ＷＬＡＮのサブクライアントモジュールは、異なるチャネルのＡＰをスキャンする。チャネルの選択は、定期的な干渉であるＷｉＭＡＸ干渉の間に測定された信号対ノイズ比（ＳＮＲ）に基づいてよい。チャネル選択は、ＷｉＭＡＸの時間フレーム存続期間より長い存続期間におけるいくらかの平均信号対ノイズ比に基づいてもよい。
【００８３】
図８を参照すると、ハンドオフ方法３５０が示されており、サブクライアントモジュール（例えばＷＬＡＮサブクライアントモジュール）は、ネットワークにより低信号品質閾値に達した後、他のサブクライアントモジュール（例えばＷｉＭＡＸサブクライアントモジュール）へのハンドアウト伝送を開始する。シームレスなハンドアウトのためには、データ単位（例えばＶｏＩＰ、ストリーミングビデオ、または、ビデオ会議のデータ単位）がドロップしてはならない。
【００８４】
図８を考慮して図９を参照すると、ＷｉＭＡＸの動作時間フレームの一部が示されている。ステップ３５２では、送受信信号の品質がＷＬＡＮサブクライアントモジュールの切断（例えばリンク喪失）閾値を下回り低下すると、ＷＬＡＮサブクライアントモジュールは、トリガ３５３をネットワーク（またはＷｉＭＡＸネットワークと通信するＡＰ）に送信する。トリガ３５３がＷｉＭＡＸの基地局に送信されることにより、ＷＬＡＮサブクライアントモジュールがＷｉＭＡＸサブクライアントモジュールへのハンドアウトを始める（すなわち、ＷｉＭＡＸクライアントがネットワークに入りたがっている）ことが示される。ステップ３５４では、ＷＬＡＮサブクライアントモジュールは、ネットワーク（またはＡＰ）から確認を受け取った後、ＷｉＭＡＸサブクライアントモジュールへのハンドアウトを開始する。
【００８５】
ステップ３５６では、無線周波数システムは、ＷＬＡＮ周波数からＷｉＭＡＸ周波数へと切り替える。ステップ３７４では、ＷｉＭＡＸサブクライアントモジュールは、選択的に決定されたスリープパターンの空き３６１の間で利用可能なＷｉＭＡＸの基地局のスキャン３５９を開始する。空き３６１は、不定期自動節電配信機能（Ｕ−ＡＰＳＤ）プロトコルによりＷＬＡＮサブクライアントモジュール専用となり得る。
【００８６】
図１０を参照すると、ＷＬＡＮサブクライアントモジュールが低電力で音声信号を伝送するためのＵ−ＡＰＳＤプロトコル３６２が示される。ＷＬＡＮサブクライアントモジュールのサービス品質向上ステーション（ＱＳＴＡ）は、サービス品質（ＱｏＳ）信号データ３６７をＡＰに送信する。ＡＰは、信号を承認し（すなわちＡＣＫ３６９を送信し）、ＶｏＩＰデータ３７１をＱＳＴＡに送信する。ＷＬＡＮは、予め決められた時間（例えば２０ｍｓ）後に起動し、他のＱｏＳデータ信号３７３などを送信する。
【００８７】
再び図８および図９を参照すると、ステップ３７４は、単一の基地局、または、すべての利用可能な基地局のスキャンを含み得る。ステップ３７６において、ＷｉＭＡＸサブクライアントモジュールまたはモバイルマネージャ・モジュールは、受信された基地局情報が望ましい基地局情報と一致するかチェックする。否定応答だった場合、ステップ３７４が繰り返される。肯定応答だった場合、ステップ３７８において、ＷｉＭＡＸサブクライアントモジュールは、ネットワークエントリ手続き３７９を開始する。ネットワークエントリの間、ＷｉＭＡＸサブクライアントモジュールは、データ受信用のダウンリンクＭＡＰと、データ送信用のアップリンクＭＡＰとを受信する。スリープパターンの空き３６１は、ダウンリンクＭＡＰまたはアップリンクＭＡＰの受信と同期しない。したがって、ＷＬＡＮサブクライアントモジュールは、スリープパターンの空きをしかるべく修正する。
【００８８】
アップリンクＭＡＰが、ＷｉＭＡＸサブクライアントモジュールの伝送チャンスを示し、ＷＬＡＮステーションがスリープパターンの空きの間にデータ単位を伝送している場合、スリープパターンの空き３６５の伝送は、スキップされる。ＷｉＭＡＸ伝送も、その後の再送のための重要なＷＬＡＮ動作の間はスキップされてよい。ステップ３８０では、ネットワークエントリの完了後、ＷｉＭＡＸサブクライアントモジュールは、ダウンリンクおよびアップリンクトラフィックを伝える。したがって、ＷｉＭＡＸサブクライアントモジュールは、ＷＬＡＮサブクライアントモジュールがデータを送受信している間は、基地局と同期したままであり得る。
【００８９】
図１１Ａ−１１Ｄを参照すると、本開示のさまざまな例示的実施形態が示されている。図１１Ａを参照すると、本開示は、車両４３０の無線モジュール４４８を実装し得る、および／または、車両４３０の無線モジュール内に実装され得る。パワートレイン制御システム４３２は、温度センサ、圧力センサ、回転センサ、気流センサ、および／または、他の適切なセンサなどの１つ以上のセンサから入力を受信し、および／または、エンジン動作パラメータ、伝送動作パラメータ、および／または、他の制御信号などの１つ以上の出力制御信号を生成する。
【００９０】
本開示は、車両４３０の他の制御システム４４０内に実装されてもよい。制御システム４４０は、同様に、入力センサ４４２から信号を受信し、および／または、１つ以上の出力クライアント４４４に制御信号を出力し得る。いくつかの実施態様において、制御システム４４０は、アンチロックブレーキング・システム（ＡＢＳ）、ナビゲーションシステム、テレマティックスシステム、車両用テレマティックスシステム、車線変更システム、車間距離制御システム、ステレオ、ＤＶＤ、コンパクトディスクなどの車両用娯楽システムの一部であってよい。さらに他の実施態様も考えられる。
【００９１】
パワートレイン制御システム４３２は、不揮発性データ記憶である大量データ記憶４４６と通信し得る。大量データ記憶４４６は、例えば、ハードディスクドライブＨＤＤおよび／またはＤＶＤなどの光および／または磁気記憶クライアントを含み得る。ＨＤＤは、約１．８"より小さい直径を有する１つ以上のプラッタを含むミニＨＤＤであってよい。パワートレイン制御システム４３２は、ＲＡＭ、ＲＯＭなどのメモリ４４７、フラッシュメモリなどの低レイテンシ不揮発性メモリ、および／または、他の適切な電子データ記憶に接続され得る。パワートレイン制御システム４３２は、無線モジュール４４８を介し、無線システムとの接続をサポートし得る。車両４３０は、電源４３３も含み得る。
【００９２】
図１１Ｂを参照すると、本開示は、セルラー・アンテナ４５１を含み得る携帯電話４５０に実装されることができる。本開示は、無線モジュール４６８を実装し得る、および／または、無線モジュールに実装され得る。いくつかの実施態様では、携帯電話４５０は、スピーカおよび／または音声出力ジャックなどのマイクロフォン４５６、音声出力４５８、ディスプレイ４６０、および／または、キーパッド、ポインティングクライアント、音声作動などの入力クライアント４６２、および／または、他の入力クライアントを含む。携帯電話４５０における信号処理および／または制御回路４５２、および／または、他の回路（図示せず）は、データを処理し、符号化および／または暗号化し、計算し、データをフォーマット化し、および／または、他の携帯電話機能を実行し得る。
【００９３】
携帯電話４５０は、例えば、ハードディスクドライブＨＤＤおよび／またはＤＶＤなどの光および／または磁気記憶クライアントのような不揮発性記憶である大量データ記憶４６４と通信し得る。ＨＤＤは、約１．８"より小さい直径を有する１つ以上のプラッタを含むミニＨＤＤであってよい。携帯電話４５０は、ＲＡＭ、ＲＯＭなどのメモリ４６６、フラッシュメモリなどの低レイテンシ不揮発性メモリ、および／または、他の適切な電子データ記憶に接続され得る。携帯電話４５０は、無線モジュール４６８を介し、無線システムとの接続をサポートし得る。携帯電話４５０は、電源４５３も含み得る。
【００９４】
図１１Ｃを参照すると、本開示は、セットトップボックス４８０に実装されることができる。本開示は、無線モジュール４９６を実装し得る、および／または、無線モジュール４９６内に実装され得る。セットトップボックス４８０は、広帯域光源などのソースから信号を受信し、テレビなどのディスプレイ４８８、および／または、モニタ、および／または、他のビデオおよび／または音声出力クライアントに適した標準および／または高解像度音声／ビデオ信号を出力する。セットトップボックス４８０の信号処理および／または制御回路４８４、および／または、他の回路（図示せず）は、データを処理し、符号化および／または暗号化し、計算し、データをフォーマット化し、および／または、他のセットトップボックス機能を実行し得る。
【００９５】
セットトップボックス４８０は、不揮発性記憶である大量データ記憶４９０と通信し得る。大量データ記憶４９０は、例えば、ハードディスクドライブＨＤＤおよび／またはＤＶＤなどの光および／または磁気記憶クライアントを含み得る。ＨＤＤは、約１．８"より小さい直径を有する１つ以上のプラッタを含むミニＨＤＤであってよい。セットトップボックス４８０は、ＲＡＭ、ＲＯＭなどのメモリ４９４、フラッシュメモリなどの低レイテンシ不揮発性メモリ、および／または、他の適切な電子データ記憶に接続され得る。セットトップボックス４８０は、無線モジュール４９６を介し、無線システムとの接続をサポートし得る。セットトップボックス４８０は、電源４８３も含み得る。
【００９６】
図１１Ｄを参照すると、本開示は、メディアプレーヤ５００に実装されることができる。本開示は、無線モジュール５１６を実装し得る、および／または、無線モジュール５１６内に実装され得る。いくつかの実施態様において、メディアプレーヤ５００は、ディスプレイ５０７、および／または、キーパッド、タッチパッドなどのユーザ入力５０８を含む。いくつかの実施態様では、メディアプレーヤ５００は、ディスプレイ５０７および／またはユーザ入力５０８を介し、一般的にメニュー、ドロップダウンメニュー、アイコン、および／または、ポイント＆クリックインターフェースを用いるグラフィカルユーザインターフェースを用いてよい。メディアプレーヤ５００は、スピーカ、および／または、音声出力ジャックなどの音声出力５０９をさらに含む。メディアプレーヤ５００の信号処理および／または制御回路５０４、および／または、他の回路（図示せず）は、データを処理し、符号化および／または暗号化し、計算し、データをフォーマット化し、および／または、その他のメディアプレーヤ機能を実行し得る。
【００９７】
メディアプレーヤ５００は、圧縮された音声および／またはビデオコンテンツなどのデータを格納する不揮発性記憶のような大量データ記憶５１０と通信し得るいくつかの実施態様では、圧縮されたオーディオファイルは、ＭＰ３フォーマット、あるいは、他の適切な圧縮音声および／またはビデオフォーマットに準拠する。大量データ記憶は、例えば、ハードディスクドライブＨＤＤおよび／またはＤＶＤなどの光および／または磁気記憶クライアントを含み得る。ＨＤＤは、約１．８"より小さい直径を有する１つ以上のプラッタを含むミニＨＤＤであってよい。メディアプレーヤ５００は、ＲＡＭ、ＲＯＭなどのメモリ５１４、フラッシュメモリなどの低レイテンシ不揮発性メモリ、および／または、他の適切な電子データ記憶に接続され得る。メディアプレーヤ５００は、無線モジュール５１６を介し、無線システムとの接続をサポートし得る。メディアプレーヤ５００は、電源５１３も含み得る。上記説明の実施態様に加え、さらなる実施態様が考慮される。
【００９８】
上記説明から、本開示の広い教示は、さまざまな形式で実装され得ることが等業者には理解できるであろう。したがって、本開示は、その特定の例に関連して説明されてはいるものの、本開示の真の範囲は、それに限定されるべきでない。図面、明細書、および、添付の請求項の範囲を検討することにより、他の修正も可能であることが当業者には明らかであろう。
【図１】
0005548716.tif 000002
【図２】
0005548716.tif 000003
【図３】
0005548716.tif 000004
【図４】
0005548716.tif 000005
【図５】
0005548716.tif 000006
【図６】
0005548716.tif 000007
【図７】
0005548716.tif 000008
【図８】
0005548716.tif 000009
【図９】
0005548716.tif 000010
【図１０】
0005548716.tif 000011
【図１１Ａ】
0005548716.tif 000012
【図１１Ｂ】
0005548716.tif 000013
【図１１Ｃ】
0005548716.tif 000014
【図１１Ｄ】
0005548716.tif 000015